(57)【要約】本発明は、ウェブページの内容領域の特定の領域に所定時間の間に次第に明るくなるフェードインタイプの広告ウィンドウを提供するオンライン広告提供方法及びその装置を提供する。本発明のオンライン広告提供装置は、ユーザ端末（１００）から、表示されるウェブページの情報を受信するウェブページ制御モジュール（３１０）と、広告ウィンドウの広告タイプの設定し、広告ウィンドウのサイズ、広告ウィンドウがユーザ端末（１００）に表示される広告露出位置を設定する広告ウィンドウ設定部（３２０）と、広告ウィンドウがフェードインになる時間を設定する広告露出速度設定部（３３０）と、ユーザ端末（１００）に伝送される広告データを保存するデータベース（３５０）と、前記それぞれの構成要素を制御して、ユーザ端末に広告ウィンドウを伝送する制御部とを備える。本発明によるフェードイン広告ウィンドウを用いた広告提供方法によれば、ユーザのウェブページの視聴中に、ユーザに次第に明るくなるように露出する広告ウィンドウを提供するため、ユーザの広告への興味を高めることができる。【選択図】図１
2013527939.tif 000002
【特許請求の範囲】
【請求項１】
バナー広告タイプまたはバー広告タイプの広告ウィンドウの広告タイプを設定し、広告ウィンドウのサイズ及び広告ウィンドウがユーザ端末に表示される広告露出位置を設定する広告ウィンドウ設定部と、
広告ウィンドウがフェードインになる時間を設定する広告露出速度設定部と、
ユーザ端末に伝送される広告データを保存するデータベースと、
前記それぞれの構成要素を制御して、ユーザ端末に広告ウィンドウを伝送する制御部と、
マウスのクリック情報、スクロールバーの状態情報、スクロールバーの位置情報のようなウェブページ情報を受信して、スクロールバーが動作状態にあるか、または特定の位置に位置すれば、広告ウィンドウを表示せず、スクロールバーが固定状態にあれば、前記広告ウィンドウの透明度を、透明から不透明に所定時間の間に上昇させることによって、フェードインタイプで表示させるウェブページ制御モジュールと、を備えるオンライン広告提供装置。
【請求項２】
広告ウィンドウ設定部及び広告露出速度設定部がユーザ端末に提供する広告情報であるバナー広告タイプまたはバー広告タイプの広告ウィンドウのタイプ、広告ウィンドウのサイズ、広告露出位置、及び広告ウィンドウがフェードインになる時間を設定する第１ステップと、
ウェブサーバーを介してウェブ文書がユーザ端末に伝送されれば、ウェブページ制御モジュールがマウスのクリック情報、スクロールバーの状態情報、スクロールバーの位置情報のようなウェブページ情報を受信する第２ステップと、
制御部が伝送時点を判断して、前記広告情報が所定の広告ウィンドウをユーザ端末に伝送する第３ステップと、
ウェブページ制御モジュールが前記スクロールバーの状態情報及びスクロールバーの位置情報を判断して、スクロールバーが動作状態にあるか、または特定の位置に位置すれば、広告ウィンドウを表示せず、スクロールバーが固定状態にあれば、前記広告ウィンドウをフェードインタイプで表示させる第４ステップと、を含むオンライン広告提供方法。
【発明の詳細な説明】
【技術分野】
【０００１】
本発明は、オンライン広告提供方法及びその装置に係り、さらに詳細には、ウェブページの内容領域の特定の領域に所定時間の間に次第に明るくなるフェードイン（ｆａｄｅ  ｉｎ）タイプの広告ウィンドウを提供するオンライン広告提供方法及びその装置に関する。
【背景技術】
【０００２】
オンラインや移動通信網などの通信網の発達に伴い、過去のＴＶやラジオのような放送メディア、新聞、雑誌などの印刷媒体によってのみ提供されていた広告が、他の多様な形で提供されている。
【０００３】
特に、通信網の発達と共に、オンラインや移動通信などを利用するユーザが幾何級数的に増加していくにつれて、オンラインを介する広告は非常に重要な広告手段の一つとなっている。このようなオンライン広告は、ウェブサイトのバナー（ｂａｎｎｅｒ）広告のように、所定の領域に広告を表示するか、または特定のウェブサイトに接続する場合、ポップアップ・ウィンドウを介して提供されるなど、多様な形で提供されている。
【０００４】
また、ユーザがオンラインで検索ボックスに入力する単語、ウェブサイトの特定のウェブページに含まれた単語や文章などから、特定の単語、すなわち、キーワードを抽出して、キーワードと合致する該当ウェブサイトのリストや広告コンテンツそのものなどの広告データを提供するなどの多様な方法が使用されている。
【０００５】
一方、このようなオンライン広告は、該当広告がユーザに露出したか否かや、該当オンライン広告を視聴したか否かが把握し難いという問題点を有する。
【０００６】
特に、ウェブページ内に挿入されて提供される広告の場合、ユーザが該当ウェブページ内で広告が位置するウェブページの部分まで見たか否かが把握し難いことから、該当広告がユーザに露出したか否かが把握し難いという問題点を有する。また、ウェブページ上で所定の領域を確保して初めて広告が可能であり、限定された広告領域のため所定の規格によって製作されるため、多量の情報を表示させることができず、それ以上の広告スペースが確保できない場合には、広告が不可能であるという欠点がある。
【０００７】
そして、ポップアップ広告は、ユーザが特定のウェブページを開けば、広告ウィンドウが個別に飛び出すようにする手法であって、バナー広告に比べて注目度が高いと知られており、サイズの制限がないという利点を有する。それに対し、ユーザが所望しない広告が飛び出す場合には、一々広告ウィンドウをクリックして閉じなければならないため、情緒的な拒否感が高まる逆効果が発生し、広告コンテンツによってユーザの所望するウェブページのロード速度を低下させるという問題点を有する。
【発明の概要】
【発明が解決しようとする課題】
【０００８】
本発明は、このような問題点を解決するためになされたものであって、本発明の目的は、ウェブページの内容領域の特定の領域に所定時間の間に次第に明るくなるフェードインタイプの広告ウィンドウを提供するオンライン広告提供方法及びその装置を提供することである。
【０００９】
また、本発明の他の目的は、スクロールバーが動作する際には広告ウィンドウを削除し、スクロールバーが固定されている際には、広告ウィンドウは、フェードインタイプ、スライドタイプ、またはポップアップタイプのように、マウスまたはキーボードなどを利用してスクロールされれば、広告が消え、スクロールが停止すれば、広告が表示されるオンライン広告提供方法及びその装置を提供することである。
【課題を解決するための手段】
【００１０】
前記目的を達成するために、本発明は、バナー広告タイプまたはバー広告タイプの広告ウィンドウの広告タイプを設定し、広告ウィンドウのサイズ及び広告ウィンドウがユーザ端末に表示される広告露出位置を設定する広告ウィンドウ設定部と、広告ウィンドウがフェードインになる時間を設定する広告露出速度設定部と、ユーザ端末に伝送される広告データを保存するデータベースと、前記それぞれの構成要素を制御して、ユーザ端末に広告ウィンドウを伝送する制御部と、マウスのクリック情報、スクロールバーの状態情報、スクロールバーの位置情報のようなウェブページ情報を受信して、スクロールバーが動作状態にあるか、または特定の位置に位置すれば、広告ウィンドウを表示せず、スクロールバーが固定状態にあれば、前記広告ウィンドウの透明度を、透明から不透明に所定時間の間に上昇させることによって、フェードインタイプで表示させるウェブページ制御モジュールと、を備える。
【００１１】
本発明は、広告ウィンドウ設定部及び広告露出速度設定部がユーザ端末に提供する広告情報であるバナー広告タイプまたはバー広告タイプの広告ウィンドウのタイプ、広告ウィンドウのサイズ、広告露出位置、及び広告ウィンドウがフェードインになる時間を設定する第１ステップと、ウェブサーバーを介してウェブ文書がユーザ端末に伝送されれば、ウェブページ制御モジュールがマウスのクリック情報、スクロールバーの状態情報、スクロールバーの位置情報のようなウェブページ情報を受信する第２ステップと、制御部が伝送時点を判断して、前記広告情報が所定の広告ウィンドウをユーザ端末に伝送する第３ステップと、ウェブページ制御モジュールが前記スクロールバーの状態情報及びスクロールバーの位置情報を判断して、スクロールバーが動作状態にあるか、または特定の位置に位置すれば、広告ウィンドウを表示せず、スクロールバーが固定状態にあれば、前記広告ウィンドウをフェードインタイプで表示させる第４ステップと、を含む。
【発明の効果】
【００１２】
本発明によるスクロールに反応するフェードイン広告ウィンドウを利用した広告提供方法によれば、ユーザがウェブページの視聴中に、ユーザに次第に明るくなるように露出する広告ウィンドウを提供し、ユーザがスクロール操作を行えば広告が消えるため、ユーザの広告への興味を高めることができる。
【００１３】
また、本発明は、広告のための別のウェブページ上の空間が不要であり、ユーザがスクロールを停止してウェブページを見ている場合にのみ広告が露出するため、広告効果の測定も容易に行うことができる。
【図面の簡単な説明】
【００１４】
【図１】本発明の好ましい一つの実施形態によるオンライン広告の提供システムの構成図である。
【図２】本発明の好ましい一つの実施形態によるオンライン広告提供方法が具現される手順を示す例示図である。
【図３】本発明の好ましい一つの実施形態によるオンライン広告提供方法が具現される手順を示す例示図である。
【図４】本発明の好ましい一つの実施形態によるオンライン広告提供方法が具現される手順を示す例示図である。
【図５】本発明の好ましい一つの実施形態によるオンライン広告提供方法が具現される手順を示す例示図である。
【図６】本発明の好ましい一つの実施形態によるオンライン広告提供方法が具現される手順を示す例示図である。
【図７】本発明の好ましい他の実施形態によるオンライン広告提供方法が具現される手順を示す例示図である。
【図８】本発明の好ましい一つの実施形態によるオンライン広告提供方法が具現される手順を示すフローチャートである。
【発明を実施するための形態】
【００１５】
以下、添付図面を参照して、前記目的を具体的に実現することができる本発明の好ましい実施形態を説明する。
【００１６】
図１は、本発明の好ましい一つの実施形態によるオンライン広告の提供システムの構成図である。
【００１７】
図１に示されるように、本発明の好ましい一つの実施形態によるオンライン広告の提供システムは、ユーザ端末１００、ウェブサーバー１２０、広告サーバー３００、及び広告主端末４００を備えることができる。
【００１８】
ユーザ端末１００は、通信網１５０を介してウェブサーバー１２０及び広告サーバー３００に連結されて、ウェブサーバー１２０から提供されるウェブページのようなウェブ文書及び広告サーバー３００から提供される広告データを受信することができる。
【００１９】
ユーザ端末１００には、ウェブサーバー１２０に接続可能にするウェブブラウザー（ｗｅｂ  ｂｒｏｗｓｅｒ）（図示せず）が設けられ、前記ウェブブラウザーによって広告データが再生されることができる。
【００２０】
このようなユーザ端末１００は、通信機能を有してウェブサーバー１２０と広告サーバー３００に接続することができ、受信した広告データがウェブ上でウェブブラウザーによって再生されることができる。また、ユーザ端末１００は、再生される広告データが出力されるディスプレー画面を有する装置であれば如何なるものでもよい。
【００２１】
一方、本発明での広告データは、テキストやイメージとして提供される広告だけでなく、音声として提供される広告、そして、このようなそれぞれのテキストやイメージ、または音声が同時に提供される広告など、あらゆるタイプの広告データを含むことができることは言うまでもない。
【００２２】
ユーザ端末１００は、例えば、ユーザＰＣ（Ｐｅｒｓｏｎａｌ  Ｃｏｍｐｕｔｅｒ）、携帯電話、個人携帯端末（Ｐｅｒｓｏｎａｌ  Ｄｉｇｉｔａｌ  Ａｓｓｉｓｔａｎｔ：ＰＤＡ）などの無線端末などがあり得るが、これらに制限されるものではない。
【００２３】
一方、ユーザ端末１００で、ウェブブラウザー上のウェブページに接続すれば、先ず、ウェブページ内に広告を提供する位置があらかじめ設定され、広告露出速度、バナー広告またはバー（ｂａｒ）広告のような広告ウィンドウのタイプやサイズがあらかじめ設定されて、前記設定された広告露出速度によって前記設定された広告ウィンドウが次第に明るくなるフェードインタイプで提供される。
【００２４】
このとき、ユーザ端末１００で、ユーザがマウスまたはキーボードを利用してウェブページの本文内容をスクロールする際に、広告データを含む広告ウィンドウが消え、スクロールが停止すれば、広告ウィンドウは再びフェードインタイプで表示される。このとき、ユーザ端末１００でのスクロールバーの状態情報は広告サーバー３００に伝送され、広告サーバー３００で、広告データを含む広告ウィンドウを伝送する方法が利用されることができる  。
【００２５】
また、他の実施形態として、ユーザ端末１００には、ウェブページ情報を収集し、それを制御するウェブページ制御モジュールが設けられることができる。このようなウェブページ制御モジュールは、ウェブブラウザーで動作できるスクリプト（ｓｃｒｉｐｔ）タイプでユーザ端末１００に提供されることができる。
【００２６】
ユーザ端末１００は、通信網１５０を介してウェブサーバー２００及び広告サーバー３００に連結され、本発明における通信網１５０は、オンライン及び移動通信網を含む。また、オンラインは、ＴＣＰ／ＩＰプロトコル及びその上位階層に存在する多様なサービス、すなわち、ＨＴＴＰ（Ｈｙｐｅｒ  Ｔｅｘｔ  Ｔｒａｎｓｆｅｒ  Ｐｒｏｔｏｃｏｌ）、Ｔｅｌｎｅｔ、ＦＴＰ（Ｆｉｌｅ  Ｔｒａｎｓｆｅｒ  Ｐｒｏｔｏｃｏｌ）、ＤＮＳ（Ｄｏｍａｉｎ  Ｎａｍｅ  Ｓｙｓｔｅｍ）、ＳＭＴＰ（Ｓｉｍｐｌｅ  Ｍａｉｌ  Ｔｒａｎｓｆｅｒ  Ｐｒｏｔｏｃｏｌ）、ＳＮＭＰ（Ｓｉｍｐｌｅ  Ｎｅｔｗｏｒｋ  Ｍａｎａｇｅｍｅｎｔ  Ｐｒｏｔｏｃｏｌ）、ＮＦＳ（Ｎｅｔｗｏｒｋ  Ｆｉｌｅ  Ｓｅｒｖｉｃｅ）などを提供する全世界的な開放型ネットワーク構造をすべて含む。
【００２７】
また、移動通信網は、基地局（Ｂａｓｅ  Ｓｔａｔｉｏｎ：ＢＳ）、移動電話交換局（Ｍｏｂｉｌｅ  Ｔｅｌｅｐｈｏｎｅ  Ｓｗｉｔｃｈｉｎｇ  Ｏｆｆｉｃｅ：ＭＴＳＯ）、ホーム位置登録器（Ｈｏｍｅ  Ｌｏｃａｔｉｏｎ  Ｒｅｇｉｓｔｅｒ：ＨＬＲ）以外に、無線パッケージデータの送受信を可能にするアクセス・ゲートウェイ（Ａｃｃｅｓｓ  Ｇａｔｅｗａｙ）、ＰＤＳＮ（Ｐａｃｋｅｔ  Ｄａｔａ  Ｓｅｒｖｉｎｇ  Ｎｏｄｅ）などのような構成要素をさらに含む。
【００２８】
ウェブサーバー１２０は、ユーザ端末１００を介して広告が提供されるウェブページのようなウェブ文書を提供する。
【００２９】
広告サーバー３００は、ウェブサーバーで提供するウェブページ内のタグ情報によってウェブページ情報を収集する場合、所定の広告データを含む広告ウィンドウをユーザ端末１００に伝送し、ウェブページ制御モジュール３１０、広告ウィンドウ設定部３２０、広告露出速度設定部３３０、制御部３４０、及びデータベース３５０を備える。
【００３０】
前記ウェブページ制御モジュール３１０は、ユーザ端末１００からマウスのクリック情報、スクロールバーの状態情報、スクロールバーの位置情報のうち少なくとも一つ以上を含むウェブページ情報を収集する。前記ウェブページ情報は、ユーザからマウスまたはキーボードなどを介して入力された情報であってもよいため、ユーザ端末の入力情報とも言える。前記スクロールバーの状態情報及びスクロールバーの位置情報は、ウェブページの属性から抽出されることができる。前記ユーザからマウスまたはキーボードなどを介して入力された情報を利用して、スクロールバーが動作状態にあるか、固定状態にあるか、どの位置にあるかを判断することができる。すなわち、前記マウスのクリック情報は、ウェブページの本文上でマウスがクリックされたか否かに関する情報やカーソルの位置情報を含む。前記スクロールバーの状態情報は、マウスホイールまたはキーボードによってスクロールバーが動作したか否かに関する情報を含む。また、前記スクロールバーの位置情報は、現在のウェブページの本文内容が表示されているか否かを示すスクロールバーの位置に関する情報を含む。
【００３１】
また、ウェブページ制御モジュール３１０は、前記ウェブページ情報が収集されれば、それに対応して適切に広告ウィンドウの動作を制御する。すなわち、スクロールバーが動作すれば、広告ウィンドウを除去し、スクロールバーの動作が停止すれば、再び広告ウィンドウを表示させ、またはウェブページ上の特定の位置では広告ウィンドウを表示させないように制御することができる。
【００３２】
前記ウェブページ制御モジュール３１０は、広告サーバー３００に設けられて、ウェブページのタグを利用してウェブページ情報及びそれに関する制御情報を送受信することができる。また、他の実施形態として、ウェブページ制御モジュール３１０は、ウェブブラウザーで動作可能なスクリプトの形でユーザ端末１００に設けられて、ウェブページ情報を収集し、それを制御することができる。
【００３３】
前記広告ウィンドウ設定部３２０は、広告データを含む広告ウィンドウがバナー広告タイプであるか、またはバー広告タイプであるかを設定し、広告ウィンドウのサイズ、広告ウィンドウがユーザ端末１００に表示される広告露出位置を決定する。
【００３４】
前記広告露出速度設定部３３０は、広告ウィンドウの透明度を、透明から不透明に所定時間の間に上昇させることによって、フェードインタイプで広告ウィンドウが表示されるように設定し、広告ウィンドウがフェードインになる時間を設定する。
【００３５】
前記データベース３５０は、ユーザ端末１００に伝送される広告データを保存する。
【００３６】
前記制御部３４０は、前述のようなそれぞれの構成要素を制御して、ユーザ端末に適切な広告ウィンドウを伝送させ、ユーザ端末に表示されるウェブページに適切な広告データを決定し、前記データベース３５０からの広告データを含む広告ウィンドウを、伝送時点に合わせてユーザ端末１００のウェブページに伝送し、ユーザ端末１００のマウスの動作によって広告ウィンドウに設定された広告サイトをディスプレーさせる。
【００３７】
例えば、制御部３４０は、ユーザが、ウェブページの受信が完了した時点、またはスクロールバーの位置が特定の位置に到逹した時点を前記広告ウィンドウの伝送時点として広告ウィンドウを伝送することが可能である。また、制御部３４０は、マウスのカーソルが広告ウィンドウに位置した際に、またはマウスのクリックが広告ウィンドウ上で発生した際に、広告ウィンドウに設定された広告サイトをディスプレーすることができる。
【００３８】
広告主端末４００は、ウェブページ上で広告ウィンドウを介して広報する目的で広告サーバー３００に広告を依頼する役割を行う。
【００３９】
図２ないし図６は、本発明の好ましい一つの実施形態によるオンライン広告提供方法が具現される手順を示す例示図である。
【００４０】
図２に示されるように、ウェブブラウザーの画面を介して、ユーザが最初に見る画面は、ウェブサーバー２００を介して受信したウェブページであり、広告ウィンドウがバナー広告のタイプ、広告ウィンドウのサイズ、広告ウィンドウがユーザ端末１００に表示される広告露出位置は、ウェブページ３００内に含まれて予め設定される。また、広告ウィンドウがフェードインになる時間が予め設定される。
【００４１】
図３に示されるように、ユーザ端末１００が、ウェブページの受信が完了したり、マウスが特定の位置に位置するなどのウェブページ情報を収集すれば、制御部は、広告ウィンドウを伝送し、広告ウィンドウは、予め設定されたユーザ端末に表示されるウェブページの内容領域の下端部に、所定の透明度によって透明度の非常に高いバナータイプの広告ウィンドウが表示される。
【００４２】
図４に示されるように、広告露出速度調節部に設定されたフェードイン時間によって、広告ウィンドウの透明度を変化させて、透明状態から半透明状態に変化した広告ウィンドウが表示される。
【００４３】
図５に示されるように、広告露出速度調節部に設定されたフェードイン時間が終了すれば、広告ウィンドウは完全な半透明状態に変化し、ウェブページの内容領域は全く表示されず、広告ウィンドウのみが明るく表示されて、ウェブブラウザーの画面でユーザに露出する。
【００４４】
図６に示されるように、ユーザ端末１００で、ユーザがマウスホイールまたはキーボードを利用してスクロールバーを上下または左右に移動させれば、ウェブページ制御モジュール３１０がスクロールバーの動作を感知し、ウェブページから広告ウィンドウが消えるように制御し、広告ウィンドウがユーザに表示されるウェブページから消えて、広告の露出が中断される。また、前記スクロールバーの動作が停止すれば、ウェブページ制御モジュール３１０は再び広告ウィンドウを表示させることができる。
【００４５】
また、ウェブページの特定の位置では広告ウィンドウを表示させないことによって、前述のように、ユーザが見るウェブページでの広告の露出を中断させることも可能である。
【００４６】
図２ないし図６に示されるように、本発明によるフェードイン広告ウィンドウを利用した広告提供方法によれば、ユーザのウェブページの視聴中に、ユーザに次第に明るくなるように広告ウィンドウを提供するため、ユーザの広告への興味を高めることができる。さらに、広告のための別のウェブページ上の空間が不要であり、ユーザがウェブページを見ている場合にのみ広告が露出するため、広告効果の測定も容易に行うことができる。
【００４７】
図７は、本発明の好ましい他の実施形態によるオンライン広告提供方法を説明するための例示図である。
【００４８】
図７に示されるように、ウェブブラウザーの画面を介してユーザが最初に見る画面は、ウェブサーバー２００を介して受信したウェブページであり、広告ウィンドウがバナー広告タイプ、広告ウィンドウのサイズ、広告ウィンドウがユーザ端末１００に表示される広告露出位置は、ウェブページ３００内に含まれて予め設定される。また、広告ウィンドウがフェードインになる時間も予め設定される。ユーザがマウスホイールまたはキーボードによってスクロールバーを移動させれば、ユーザが見るウェブページ内で、広告が露出する特定の位置に到逹するとき、所定のバータイプの広告ウィンドウが所定時間によってウェブページの内容領域の上端部から下側に次第に表示される。
【００４９】
図８は、本発明の好ましい一つの実施形態によるオンライン広告提供方法を説明するためのフローチャートである。
【００５０】
図８は、ユーザ端末１００からウェブページ情報を受信し、それによって広告サーバー３００が広告ウィンドウを伝送するオンライン広告提供方法を順次に示すフローチャートである。
【００５１】
図８に示されるように、先ず、広告ウィンドウ設定部３２０は、広告データを含む広告ウィンドウがバナー広告タイプまたはバー広告タイプであるかを設定し、広告ウィンドウのサイズ、広告ウィンドウがユーザ端末１００に表示される広告露出位置を設定し、広告露出速度設定部３３０は、広告ウィンドウがフェードインになる時間を設定する（Ｓ６１０）。
【００５２】
ウェブサーバー１２０を介して提供されるウェブページがユーザ端末１００に伝送されて受信される（Ｓ６２０）。受信されたウェブページの一部または全部がユーザ端末１００に設けられたウェブブラウザーの画面を介して提供される。
【００５３】
ウェブページ制御モジュール３１０は、ユーザ端末１００から、ウェブページの受信が完了したか否かに関する情報、マウスのクリック情報、スクロールバーの状態情報、及びスクロールバーの位置情報を収集する（Ｓ６３０）。制御部３４０は、収集されたウェブページ情報から広告ウィンドウの伝送時点を判断する。このとき、前記伝送時点は、伝送される広告ウィンドウのタイプによって判断するが、バナー広告の場合、伝送時点を早く、バー広告の場合、伝送時点を遅らせることが好ましい。
【００５４】
また、他の実施形態として、ユーザ端末１００にウェブページ制御モジュール３１０が設けられる場合、前記ウェブページ制御モジュール３１０は、広告サーバーの制御部３４０にウェブページ情報を送信し、前記制御部３４０は、受信されたウェブページ情報から広告ウィンドウの伝送時点を判断する。
【００５５】
広告サーバー３００の制御部３４０は、伝送時点になれば、広告データを含む所定の広告ウィンドウを伝送することによって広告データをユーザ端末１００のディスプレー画面に表示させる（Ｓ６４０）。所定の広告露出位置に所定の広告ウィンドウのタイプやサイズを有する広告ウィンドウに、所定のフェードインになる時間によってフェードインタイプで表示される。
【００５６】
ウェブページ制御モジュール３１０は、ユーザ端末１００のスクロールバーの状態情報、すなわち、スクロールバーがマウスまたはキーボードによって動作するか否かを探知し、スクロールバーが動作すれば（Ｓ６５０）、広告ウィンドウを削除する（Ｓ６６０）。
【００５７】
ウェブページ制御モジュール３１０は、ユーザ端末１００のスクロールバーの状態情報、すなわち、スクロールバーがマウスまたはキーボードによって動作するか否かを探知し、スクロールバーが動作を停止して固定された状態になれば（Ｓ６７０）、広告データを含む所定の広告ウィンドウを伝送することによって、広告データをユーザ端末１００のディスプレー画面に表示させる（Ｓ６８０）。この場合にも同様に、所定の広告露出位置に所定の広告ウィンドウのタイプやサイズを有する広告ウィンドウに、所定のフェードインになる時間によってフェードインタイプで表示される。
【００５８】
本発明は、前述のような実施形態に限定されず、特許請求の範囲から分かるように、当業者によって変形が可能であり、このような変形は本発明の範囲に属する。
【００５９】
【図１】
2013527939.tif 000003
【図２】
2013527939.tif 000004
【図３】
2013527939.tif 000005
【図４】
2013527939.tif 000006
【図５】
2013527939.tif 000007
【図６】
2013527939.tif 000008
【図７】
2013527939.tif 000009
【図８】
2013527939.tif 000010
【国際調査報告】
2013527939.tif 000011
2013527939.tif 000012
2013527939.tif 000013
2013527939.tif 000014